(57)【要約】【課題】引出又は収納が可能なホイップアンテナが収納されている場合であっても、ダイバーシチ方式により、無線信号の通信品質を向上させることが可能なアンテナ装置、無線装置を提供する。【解決手段】本発明に係るアンテナ装置は、筐体外に引出し又は筐体内に収納が可能な第１アンテナ素子と、偏波方向が互いに異なる複数の無線信号の送信又は受信に用いられる第２アンテナ素子を備え、ダイバーシチ方式により無線通信を行うためのアンテナ装置である。第１アンテナ素子は、第１給電点を有し、第２アンテナ素子は、第２給電点と第３給電点を有する。第１アンテナ素子を収納したとき、第１アンテナ素子が第３給電点と接続し、第１アンテナ素子を引出したとき、第１アンテナ素子が第３給電点と接続しないように構成される。【選択図】図１
2008301364.tif 000002
【特許請求の範囲】
【請求項１】
筐体外に引出し又は筐体内に収納が可能な第１アンテナ素子と、偏波方向が互いに異なる複数の無線信号の送信又は受信に用いられる第２アンテナ素子を備え、ダイバーシチ方式により無線通信を行うためのアンテナ装置であって、
前記第１アンテナ素子は、第１給電点を有し、
前記第２アンテナ素子は、第２給電点と第３給電点を有し、
前記第１アンテナ素子を収納したとき、前記第１アンテナ素子が前記第３給電点と接続し、前記第１アンテナ素子を引出したとき、前記第１アンテナ素子が前記第３給電点と接続しない
ことを特徴とするアンテナ装置。
【請求項２】
前記第２給電点と前記第２アンテナ素子の中心とを結ぶ直線と、前記第３給電点と前記第２アンテナ素子の中心とを結ぶ直線とは、直交する
ことを特徴とする請求項１に記載のアンテナ装置。
【請求項３】
前記第２アンテナ素子は、平板の導電体によって構成されるパッチアンテナである
ことを特徴とする請求項１又は２に記載のアンテナ装置。
【請求項４】
接地された導電体によって構成される導体管を更に備え、
前記第１アンテナ素子は、収納されている場合、前記導体管の内側に収納される
ことを特徴とする請求項１乃至３のいずれか１項に記載のアンテナ装置。
【請求項５】
ダイバーシチ方式により無線通信を行う無線装置であって、
筐体外に引出し又は筐体内に収納が可能な第１アンテナ素子と、
偏波方向が互いに異なる複数の無線信号の送信又は受信に用いられる第２アンテナ素子と、
第１及び第２の給電部を備え、
第１アンテナ素子は、第１給電点を有し、
第２アンテナ素子は、該アンテナ素子の中心に対して互いに異なる方向に設けられた第２給電点と第３給電点を有し、
第１アンテナ素子の引出時には、
第１給電部が第１給電点に給電するとともに、第２給電部が第２又は第３給電点に給電し、
第１アンテナ素子の収納時には、
前記第１アンテナ素子が前記第３給電点と接続することにより、第１給電部が第１給電点及び第１アンテナ素子を介して第３給電点に給電すると共に、第２給電部が第２給電点に給電することを特徴とする無線装置。
【発明の詳細な説明】
【技術分野】
【０００１】
本発明は、筐体外に引出し又は筐体内に収納が可能な第１アンテナ素子と、偏波方向が互いに異なる複数の無線信号の送信又は受信に用いられる第２アンテナ素子と、第１アンテナ素子と接続する第１給電部と、第２アンテナ素子と接続する第２給電部とを備え、ダイバーシチ方式により無線通信を行う無線装置に設けられるアンテナ装置に関する。及び、かかるアンテナ装置を用いて無線通信を行う無線装置に関する。
【背景技術】
【０００２】
従来、例えば、筐体外に引出又は筐体内に収納することが可能なホイップアンテナと、筐体の内部に設けられているパッチアンテナとを備える無線装置が知られている（例えば、特許文献１参照）。
【０００３】
また、かかる無線装置は、ホイップアンテナに設けられている給電点に給電する給電部と、パッチアンテナに設けられている給電点に給電する給電部とを備える。かかる構成により、上述した無線装置では、ホイップアンテナとパッチアンテナとを用いて、ダイバーシチ方式により相手先と無線信号を送受信することができるので、無線信号の通信品質を向上することができる。
【特許文献１】実用新案登録第２５０２２６２号公報
【発明の開示】
【発明が解決しようとする課題】
【０００４】
ところで、ホイップアンテナは、収納時よりも引出時の方が、無線信号の通信品質を大幅に向上することができるため、筐体外に引出して使用することが望まれる。
【０００５】
しかしながら、無線装置の利用者は、ホイップアンテナを引出すと、無線装置の見栄えが悪くなる等の理由から、当該ホイップアンテナを収納して利用する場合が多い。かかる場合、ホイップアンテナが筐体によって覆われてしまうため、無線装置では、ホイップアンテナを介して送受信される無線信号の通信品質が大幅に低下してしまう。
【０００６】
よって、上述した無線装置では、ホイップアンテナが収納される場合、パッチアンテナのみのシングル方式で無線信号を送受信する場合と通信品質が変わらなくなってしまう。つまり、上述した無線装置では、ダイバーシチ方式により無線信号を送受信する機能が設けられているにも関わらず、ホイップアンテナが収納されると、ダイバーシチ方式により通信品質を向上させることができないという問題があった。
【０００７】
そこで、本発明は以上の点に鑑みてなされたもので、ホイップアンテナが収納されている場合であっても、ダイバーシチ方式により、無線信号の通信品質を向上させることが可能なアンテナ装置、及びかかるアンテナ装置を用いて無線通信を行う無線装置を提供することを目的とする。
【課題を解決するための手段】
【０００８】
本発明のアンテナ装置は、筐体外に引出し又は筐体内に収納が可能な第１アンテナ素子と、偏波方向が互いに異なる複数の無線信号の送信又は受信に用いられる第２アンテナ素子を備え、ダイバーシチ方式により無線通信を行うためのアンテナ装置であって、前記第１アンテナ素子は、第１給電点を有し、前記第２アンテナ素子は、第２給電点と第３給電点を有し、前記第１アンテナ素子を収納したとき、前記第１アンテナ素子が前記第３給電点と接続し、前記第１アンテナ素子を引出したとき、前記第１アンテナ素子が前記第３給電点と接続しないことを特徴とする。
【０００９】
かかるアンテナ装置によれば、第１アンテナ素子（例えばホイップアンテナ）の引出し時には、第１アンテナ素子を用いて第１の偏波の送受信を行い、第２アンテナ素子（例えば、パッチアンテナやループアンテナなど）を用いて第２の偏波の送受信を行うことができる。また、第１アンテナ素子の収納時には、第２アンテナ素子を用いて第２の偏波の送受信を行い、給電回路が第１アンテナ素子を介して第２アンテナ素子（の第３給電点）へ給電することで第１の偏波の送受信を行うことができる。このようなアンテナ装置によれば、第１アンテナ素子が収納されている場合であっても、ダイバーシチ方式（偏波ダイバーシチ）により無線通信を行って、相手先と送受信する無線信号の通信品質を向上することができる。
【００１０】
また、本発明は、上記特徴に加え、前記第２給電点と前記第２アンテナ素子の中心とを結ぶ直線と、前記第３給電点と前記第２アンテナ素子の中心とを結ぶ直線とは、直交するように構成されるものであっても良い。これにより、アンテナ装置では、第１アンテナ素子が収納されている場合、第１給電部と第２給電部とのそれぞれにおいて、偏波方向が直交する無線信号を送信又は受信することができるので、ダイバーシチ方式を用いた通信品質をより向上させることができる。
【００１１】
なお、前記第２アンテナ素子は、例えば、平板の導電体によって構成されるパッチアンテナ等である。
【００１２】
また、アンテナ装置では、接地された導電体によって構成される導体管を更に備え、前記第１アンテナ素子は、収納されている場合、前記導体管の内側に収納されるものであっても良い。これにより、アンテナ装置では、第１アンテナ素子が収納されている場合、ノイズとなる余分な無線信号が第１アンテナ素子によって送受信されることを防止するので、第１給電部が第３給電点により安定して給電できる。
【００１３】
本発明の無線装置は、ダイバーシチ方式により無線通信を行う無線装置であって、筐体外に引出し又は筐体内に収納が可能な第１アンテナ素子と、偏波方向が互いに異なる複数の無線信号の送信又は受信に用いられる第２アンテナ素子と、第１及び第２の給電部を備え、第１アンテナ素子は、第１給電点を有し、第２アンテナ素子は、該アンテナ素子の中心に対して互いに異なる方向に設けられた第２給電点と第３給電点を有し、第１アンテナ素子の引出時には、第１給電部が第１給電点に給電するとともに、第２給電部が第２又は第３給電点に給電し、第１アンテナ素子の収納時には、前記第１アンテナ素子が前記第３給電点と接続することにより、第１給電部が第１給電点及び第１アンテナ素子を介して第３給電点に給電すると共に、第２給電部が第２給電点に給電することを特徴とする。
【発明の効果】
【００１４】
本発明によれば、引出又は収納が可能なホイップアンテナが収納されている場合であっても、ダイバーシチ方式により、無線信号の通信品質を向上させることが可能なアンテナ装置、無線装置を提供することができる。
【発明を実施するための最良の形態】
【００１５】
（本発明の第１実施形態に係る無線装置の構成）
本発明の第１実施形態について図を参照して説明する。なお、以下の図面の記載において、同一または類似の部分には、同一または類似の符号を付している。ただし、図面は模式的なものであることに留意すべきである。まず、本発明の第１実施形態に係る無線装置１の構成について、説明する。また、以下、本発明との関連がある部分について主に説明する。したがって、無線装置１は、無線信号を送受信する無線装置としての機能を実現する上で必須な、図示しない或いは説明を省略した他の装置（信号処理回路、電源部、操作部など）を備える場合があることに留意されたい。なお、本実施形態に係る無線装置１は、テレビ、ラジオ、携帯電話、ＰＤＡ等を想定している。
【００１６】
無線装置１は、ダイバーシチ方式により、無線信号を受信又は送信する。具体的に、本実施形態に係る無線装置１は、図１（ａ）乃至（ｂ）に示すように、筐体１００と、筐体１００外に引出し又は筐体１００内に収納が可能なホイップアンテナＡ１と、基板５０上に設けられたパッチアンテナＡ２と、給電部Ｋ１と、給電部Ｋ２と、接続部１０と、接続部２０とを備える。
【００１７】
ここで、図１（ａ）には、ホイップアンテナＡ１が筐体１００外に引き出されている際の無線装置１の構成が示されており、図１（ｂ）には、ホイップアンテナＡ１が筐体１００内に収納されている際の無線装置１の構成が示されている。なお、無線装置１において、ホイップアンテナＡ１の引出と収納とは、無線装置１の利用者によって行われる。
【００１８】
ホイップアンテナＡ１は、導電体によって構成される。ホイップアンテナＡ１は、給電点Ｋｐ１（第１給電点）を有する。また、給電点Ｋｐ１と給電部Ｋ１は、接続部１０を介して接続される。また、図２（ａ）に示すように、ホイップアンテナＡ１は、引き出されている場合、給電部Ｋ１との接続点を給電点Ｋｐ１として給電される。ここで、本実施形態において、給電部Ｋ１乃至Ｋ２が、ホイップアンテナＡ１の給電点Ｋｐ１やパッチアンテナＡ２の給電点Ｋｐ２乃至Ｋｐ３（後述）との間で電気的に接続されることを、給電するとして説明する。
【００１９】
また、ホイップアンテナＡ１は、図２（ｂ）に示すように、収納されている場合、接続部２０と接続する。また、このときも、ホイップアンテナＡ１は、接続部１０を介して、給電部Ｋ１と接続している。なお、本実施形態において、ホイップアンテナＡ１は、第１アンテナ素子を構成する。
【００２０】
接続部２０は、給電線Ｌを介して、パッチアンテナＡ２の給電点Ｋｐ３と接続する。また、接続部２０は、ホイップアンテナＡ１が収納されている場合、ホイップアンテナＡ１と接続する。つまり、ホイップアンテナＡ１が収納されている場合、給電部Ｋ１と、接続部１０と、ホイップアンテナＡ１と、接続部２０と、給電線Ｌと、給電点Ｋｐ３とが、電気的に接続される。
【００２１】
パッチアンテナＡ２は、無線装置１の内部に設けられている。また、パッチアンテナＡ２は、所定の面に沿って設けられた導電体によって構成され、偏波方向が互いに異なる複数の無線信号の送信又は受信に用いられる。具体的に、パッチアンテナＡ２は、平板の導電体によって構成される。なお、本実施形態において、パッチアンテナＡ２は、正方形の平板の導電体によって構成されている。また、平板の一辺の電気長は、送受信される無線信号の使用周波数に基づいて、波長の半分（半波長分）の長さとする。
【００２２】
ここで、図２（ａ）乃至（ｂ）には、本実施形態に係るパッチアンテナＡ２の具体的な構成が示されている。図２（ａ）示すように、パッチアンテナＡ２は、給電点（第２給電点）Ｋｐ２と給電点（第３給電点）Ｋｐ３とを有する。また、パッチアンテナＡ２では、給電点Ｋｐ２とパッチアンテナＡ２の中心Ｃとを結ぶ直線と、給電点Ｋｐ３とパッチアンテナＡ２の中心Ｃとを結ぶ直線とが、直交するように構成されている。つまり、図２（ａ）に示すように、角度αが、約９０°となるように給電点Ｋｐ２乃至Ｋｐ３が設けられている。かかる構成により、パッチアンテナＡ２では、給電点Ｋｐ２において、偏波方向が垂直方向ＤＶに対応する無線信号を送信又は受信するための給電が行われ、給電点Ｋｐ３において、偏波方向が水平方向ＤＨに対応する無線信号を送信又は受信するための給電が行われる。
【００２３】
また、図２（ｂ）には、図２（ａ）に示すパッチアンテナＡ２のＸ−Ｘ断面図が示されている。図２（ｂ）に示すように、パッチアンテナＡ２は、基板５０上に設けられている。また、基板５０には、パッチアンテナＡ２が設けられている反対側の面に、銅箔などにより接地面ＧＦ（グランド面）が設けられている。また、基板５０には、穴Ｈが設けられており、パッチアンテナＡ２の給電点Ｋｐ３は、基板５０の裏側から穴Ｈを通る給電線Ｌと接続する。このとき、給電線Ｌは、基板５０の接地面ＧＦと接触しないように配置されている。かかる構成により、給電点Ｋｐ３と、給電線Ｌと、接続部２０とが電気的に接続される。また、パッチアンテナＡ２の給電点Ｋｐ２は、基板５０に設けられた別の穴（図示せず）を通る給電線を介して、給電部Ｋ２と接続する。
【００２４】
ここで、パッチアンテナＡ２において、給電点Ｋｐ２乃至Ｋｐ３は、インピーダンス値を考慮して配置する。具体的に、給電点Ｋｐ３の配置について一例を挙げて説明する。例えば、給電部Ｋ１から給電点Ｋｐ３までのインピーダンス値が“５０Ω”である場合、インピーダンス値の変化によって生じる信号の反射を抑制するため、給電点Ｋｐ３のインピーダンス値も“５０Ω”となるように、中心Ｃとの間隔を設けて配置する。なお、給電点Ｋｐ２も同様に、インピーダンス値を考慮して配置する。
【００２５】
なお、パッチアンテナＡ２は、図３に示すように、導体面が曲面状に形成されていてもよい。また、パッチアンテナＡ２の外形の形状は、曲線状や多角形状に形成されていてもよい。さらに、パッチアンテナＡ２は、図４（ａ）に示すように、円盤状の導電体の端から中心に向けて一部を切欠き、当該切欠きの中心側に給電点Ｋｐ２乃至Ｋｐ３を設けるように構成されていてもよい。なお、円盤状の導電体の直径の電気長は、送受信される無線信号の使用周波数に対応する波長の半分（半波長分）の長さとする。また、図４（ｂ）には、図４（ａ）のＹ−Ｙ断面図が示されている。円盤状の一部を切欠いてパッチアンテナＡ２に給電点を設ける場合、図４（ｂ）に示すように、基板５０に穴を設けずに、給電線Ｌと給電点Ｋｐ３とを接続するように構成されていてもよい。また、図４（ａ）乃至（ｂ）には、パッチアンテナＡ２が円盤状の場合を例が挙げられているが、四角形状や楕円形状であってもよいことは無論である。本実施形態において、パッチアンテナＡ２は、第２アンテナ素子を構成する。
【００２６】
以下、給電部Ｋ１乃至Ｋ２のそれぞれの構成について具体的に説明する。給電部Ｋ１は、接続部１０を介して、ホイップアンテナＡ１と接続する。給電部Ｋ１は、ホイップアンテナＡ１が引出されている場合、ホイップアンテナＡ１の給電点Ｋｐ１に給電する。また、給電部Ｋ１は、ホイップアンテナＡ１が収納されている場合、ホイップアンテナＡ１を介して、パッチアンテナＡ２の給電点Ｋｐ３に給電する。具体的に、給電部Ｋ１は、ホイップアンテナＡ１が収納されている場合、ホイップアンテナＡ１と接続部２０と給電線Ｌとを介して、パッチアンテナＡ２の給電点Ｋｐ３と接続し、当該給電点Ｋｐ３に給電する。本実施形態において、給電部Ｋ１は、第１給電部を構成する。
【００２７】
給電部Ｋ２は、パッチアンテナＡ２の給電点Ｋｐ２と接続する。また給電部Ｋ２は、パッチアンテナＡ２の給電点Ｋｐ２に給電する。なお、給電部Ｋ２は、ホイップアンテナＡ１が引き出されている場合、又は、収納されている場合のいずれにおいても、パッチアンテナＡ２の給電点Ｋｐ２に給電する。本実施形態において、給電部Ｋ２は、第２給電部を構成する。
【００２８】
（第１実施形態に係る無線装置の作用・効果）
本実施形態に係る無線装置１によれば、ホイップアンテナＡ１が筐体１００外に引出されている場合、給電部Ｋ１が、ホイップアンテナＡ１の給電点Ｋｐ１に給電し、給電部Ｋ２が、パッチアンテナＡ２の給電点Ｋｐ２に給電する。この場合、無線装置１では、ホイップアンテナＡ１の給電点Ｋｐ１とパッチアンテナＡ２の給電点Ｋｐ２とに給電することで、二つの無線信号に基づいてダイバーシチ方式（空間ダイバーシチ方式）により無線通信を行うことができる。
【００２９】
また、かかる無線装置１では、ホイップアンテナＡ１が収納されている場合、給電部Ｋ１が、パッチアンテナＡ２の給電点Ｋｐ３に給電し、給電部Ｋ２が、パッチアンテナＡ２の給電点Ｋｐ２に給電する。この場合、無線装置１では、パッチアンテナＡ２の給電点Ｋｐ２とパッチアンテナＡ２の給電点Ｋｐ３とに給電することで、二つの無線信号に基づいてダイバーシチ方式（偏波ダイバーシチ方式）により無線通信を行うことができる。
【００３０】
ホイップアンテナ及びパッチアンテナを備えた従来のダイバーシチ方式の無線装置では、ホイップアンテナが収納される場合、ホイップアンテナの受信性能が低下する。この結果、パッチアンテナのみのシングル方式で無線信号を送受信する場合と通信品質が変わらなくなってしまうという問題があった。これに対し、上記の無線装置１によれば、ホイップアンテナＡ１が収納されている場合であっても、パッチアンテナＡ２をダイバーシチアンテナとして作用させることによりダイバーシチ方式により無線通信を行うことができる。これにより、ホイップアンテナＡ１が収納されている場合であっても、無線信号の通信品質を向上させることができる。
【００３１】
（第１実施形態に係る変形例１）
また、本発明は、上述した実施形態に限定されるものではなく、種々の変更が可能である。例えば、無線装置１は、図５に示すように、接地された導電体によって構成される導体管１５を更に備えていてもよい。また、かかる構成において、ホイップアンテナＡ１は、収納されている場合、導体管１５の内側に収納される。ここで、導体管１５は、表面に銅箔等の金属を蒸着した樹脂ストローによって構成される。かかる場合、導体管１５の表面にグランドと接続する接地点ＧＰを設けて、導体管１５の表面を接地することで、ホイップアンテナＡ１から、ノイズとなる余分な無線信号が送受信されることを防止する。よって、無線装置１では、給電部Ｋ１が給電点Ｋｐ３に対して、より安定して給電できる。また、接続部２０は、ホイップアンテナＡ１を給電線Ｌに押圧して金属接点と接続するバネ性の押圧部材により構成されていてもよい。なお、かかる導体管１５もアンテナ装置の構成に含まれてもよい。
【００３２】
（第１実施形態に係る変形例２）
また、本発明は、上述した実施形態に限定されるものではなく、種々の変更が可能である。例えば、図６に示すように、ホイップアンテナＡ１は、旋回部３０を備えていてもよい。ホイップアンテナＡ１は、当該旋回部３０を旋回させることで、筐体１００外に引出、又は筐体１００内に収納される。
【００３３】
具体的に、本実施形態に係る無線装置１では、給電部Ｋ１は、ホイップアンテナＡ１が引出されている場合、ホイップアンテナＡ１の給電点Ｋｐ１からホイップアンテナＡ１に給電する。また、給電部Ｋ１は、ホイップアンテナＡ１が収納されている場合、上述した第１実施形態と同様に、ホイップアンテナＡ１と、接続部２０と、給電線Ｌとを介して、パッチアンテナＡ２の給電点Ｋｐ３に給電する。
【００３４】
本実施形態に係る無線装置１においても、上述した第１実施形態と同様に、ホイップアンテナＡ１が収納されている場合であっても、ダイバーシチ方式（偏波ダイバーシチ）により、無線信号の通信品質を向上させることができる。
【００３５】
（第１実施形態に係る変形例３）
更に、本発明は、上述した実施形態に限定されるものではなく、種々の変更が可能である。例えば、図７（ａ）乃至（ｂ）に示すように、無線装置１において、パッチアンテナＡ２に替えて、ループアンテナＡ３を備えるように構成されていてもよい。具体的に、本実施形態に係る無線装置１では、ループアンテナＡ３が、給電点Ｋｐ２乃至Ｋｐ３を備える。ここで、給電点Ｋｐ２とループアンテナＡ３の中心Ｃ１とを結ぶ直線と、給電点Ｋｐ３とループアンテナＡ３の中心Ｃ１とを結ぶ直線とは、直交するように構成されている。かかる構成により、ループアンテナＡ３では、給電点Ｋｐ２において、偏波方向が水平方向に対応する無線信号を送信又は受信するための給電が行われ、給電点Ｋｐ３において、偏波方向が垂直方向に対応する無線信号を送信又は受信するための給電が行われる。なお、本実施形態において、ループアンテナＡ３は、第２アンテナ素子を構成する。
【００３６】
また、本実施形態に係る無線装置１では、図７（ａ）に示すように、ホイップアンテナＡ１が引出されている場合、給電部Ｋ１は、給電点Ｋｐ１からホイップアンテナＡ１に給電する。また、給電部Ｋ２は、ループアンテナＡ３の給電点Ｋｐ２からループアンテナＡ３に給電する。つまり、無線装置１では、ホイップアンテナＡ１の給電点Ｋｐ１と、ループアンテナＡ３の給電点Ｋｐ２とに給電して、ダイバーシチ方式による無線通信が行われる。
【００３７】
また、本実施形態に係る無線装置１では、図７（ｂ）に示すように、ホイップアンテナＡ１が収納されている場合、給電部Ｋ１は、ホイップアンテナＡ１と、接続部２０と、給電線Ｌとを介して、ループアンテナＡ３の給電点Ｋｐ３に給電する。また、このときも、給電部Ｋ２は、ループアンテナＡ３の給電点Ｋｐ２からループアンテナＡ３に給電する。つまり、無線装置１では、ループアンテナＡ３の給電点Ｋｐ２と、ループアンテナＡ３の給電点Ｋｐ３とに給電して、ダイバーシチ方式による無線通信が行われる。
【００３８】
本実施形態に係る無線装置１においても、上述した第１実施形態と同様に、ホイップアンテナＡ１が収納されている場合であっても、ダイバーシチ方式（偏波ダイバーシチ）により、無線信号の通信品質を向上させることができる。
【００３９】
（第１実施形態に係る変形例４）
更に、本発明は、上述した実施形態に限定されるものではなく、種々の変更が可能である。例えば、図８に示すように、無線装置１は、パッチアンテナＡ２に替えて、逆Ｆ型アンテナＡ４を備えるように構成されていてもよい。
【００４０】
具体的に、図８に示すように、本実施形態に係る無線装置１では、逆Ｆ型アンテナＡ４は、四角形状の平板の導電体によって構成されている。なお、逆Ｆ型アンテナＡ４の形状は、これに限定されるものではない。また、本実施形態において、平板の一辺の電気長は、送受信される無線信号の使用周波数に基づいて、波長の４分の１の長さとする。
【００４１】
また、逆Ｆ型アンテナＡ４は、給電点Ｋｐ２乃至Ｋｐ３と、接地点Ｃ２とを備える。接地点Ｃ２は、基板５０の接地面ＧＬと短絡し、接地されている。また、給電点Ｋｐ２と接地点Ｃ２とを結ぶ直線と、給電点Ｋｐ３と接地点Ｃ２とを結ぶ直線とは、直交するように構成されている。つまり、図８に示すように、角度αが、約９０°となるように給電点Ｋｐ２乃至Ｋｐ３が設けられている。
【００４２】
かかる構成により、逆Ｆ型アンテナＡ４では、給電点Ｋｐ２において、偏波方向が垂直方向に対応する無線信号を送信又は受信するための給電が行われ、給電点Ｋｐ３において、偏波方向が水平方向に対応する無線信号を送信又は受信するための給電が行われる。なお、本実施形態において、逆Ｆ型アンテナＡ４は、第２アンテナ素子を構成する。
【００４３】
また、本実施形態に係る無線装置１では、ホイップアンテナＡ１が引出されている場合、給電部Ｋ１は、給電点Ｋｐ１からホイップアンテナＡ１に給電する。また、給電部Ｋ２は、給電点Ｋｐ２から逆Ｆ型アンテナＡ４に給電する。つまり、無線装置１では、ホイップアンテナＡ１の給電点Ｋｐ１と、逆Ｆ型アンテナＡ４の給電点Ｋｐ２とに給電して、ダイバーシチ方式による無線通信が行われる。
【００４４】
また、本実施形態に係る無線装置１では、ホイップアンテナＡ１が収納されている場合、給電部Ｋ１は、ホイップアンテナＡ１と、接続部２０と、給電線Ｌとを介して、逆Ｆ型アンテナＡ４の給電点Ｋｐ３に給電する。また、このときも、給電部Ｋ２は、給電点Ｋｐ２から逆Ｆ型アンテナＡ４に給電する。つまり、無線装置１では、逆Ｆ型アンテナＡ４の給電点Ｋｐ２と、逆Ｆ型アンテナＡ４の給電点Ｋｐ３とに給電して、ダイバーシチ方式による無線通信が行われる。
【００４５】
本実施形態に係る無線装置１においても、上述した第１実施形態と同様に、ホイップアンテナＡ１が収納されている場合であっても、ダイバーシチ方式（偏波ダイバーシチ）により、無線信号の通信品質を向上させることができる。
【００４６】
（第１実施形態に係る変形例５）
上述した実施形態において、無線装置１では、ホイップアンテナＡ１が引き出されている場合、給電部Ｋ２は、給電点Ｋｐ２に給電するものとして説明した。これに代えて、ホイップアンテナＡ１が引き出されている場合、給電部Ｋ２は、給電点Ｋｐ３に給電しても良い。即ち、給電部Ｋ２は、ホイップアンテナＡ１が引き出されている際、給電点Ｋｐ３に給電し、ホイップアンテナＡ１が収納された際に、給電点Ｋｐ３から給電点Ｋｐ２に給電先を切り替えるように構成されていても良い。
【００４７】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００４８】
例えば、上述した実施形態に係る無線装置１のアンテナ装置において、パッチアンテナＡ２に、給電点Ｋｐ４（図示せず）を設けると共に、当該給電点Ｋｐ４に給電する給電部Ｋ３（図示せず）を備えることも可能である。なお、この場合、給電点Ｋｐ２と中心Ｃとを結ぶ直線と、給電点Ｋｐ３と中心Ｃとを結ぶ直線と、給電点Ｋｐ４と中心Ｃとを結ぶ直線とは、約６０°間隔になるように給電点Ｋｐ２乃至Ｋｐ４を設けることが望ましい。
【００４９】
また、各実施形態の構成及び各変更例の構成もそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【００５０】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００５１】
【図１】（ａ）本発明の第１実施形態に係る無線装置において、ホイップアンテナが引出されている場合の構成を示す概略構成図である。（ｂ）本発明の第１実施形態に係る無線装置において、ホイップアンテナが収納されている場合の構成を示す概略構成図である。
【図２】（ａ）本発明の第１実施形態に係るパッチアンテナの構成を示す正面図である。（ａ）本発明の第１実施形態に係るパッチアンテナの構成を示す断面図である。
【図３】本発明の第１実施形態に係るパッチアンテナの一例を示す図である。
【図４】（ａ）本発明の第１実施形態に係るパッチアンテナの一例を示す正面図である。（ｂ）本発明の第１実施形態に係るパッチアンテナの一例を示す断面図である。
【図５】本発明の変形例に係る無線装置において、導体管を備える場合の構成を示す図である。
【図６】（ａ）本発明の変形例に係る無線装置において、ホイップアンテナが引出されている場合の構成を示す概略構成図である。（ｂ）本発明の変形例に係る無線装置において、ホイップアンテナが収納されている場合の構成を示す概略構成図である。
【図７】（ａ）本発明の変形例に係る無線装置において、ホイップアンテナが引出されている場合の構成を示す概略構成図である。（ｂ）本発明の変形例に係る無線装置において、ホイップアンテナが収納されている場合の構成を示す概略構成図である。
【図８】本発明の変形例に係る逆Ｆ型アンテナの構成を示す正面図である。
【符号の説明】
【００５２】
１…無線装置、１０…接続部、１５…導体管、２０…接続部、３０…旋回部、５０…基板、１００…筐体、α…角度、Ａ１…ホイップアンテナ、Ａ２…パッチアンテナ、Ａ３…ループアンテナ、Ｃ乃至Ｃ１…中心、ＤＨ…水平方向、ＤＶ…垂直方向、ＧＦ…接地面、ＧＰ…接地点、Ｈ…穴、Ｋ１〜Ｋ２…給電部、Ｋｐ１〜Ｋｐ３…給電点、Ｌ…給電線、
【図１】
2008301364.tif 000003
【図２】
2008301364.tif 000004
【図３】
2008301364.tif 000005
【図４】
2008301364.tif 000006
【図５】
2008301364.tif 000007
【図６】
2008301364.tif 000008
【図７】
2008301364.tif 000009
【図８】
2008301364.tif 000010